(57)【要約】【課題】電極体におけるリチウムイオン濃度の偏りの有無の検出精度に優れた二次電池システムの提供。【解決手段】二次電池システムは、正極と負極とがセパレータを挟んで配置されてなる電極体と、少なくとも電極体の内部に含まれ、リチウム塩を含む非水電解液とを有するリチウムイオン二次電池と、電極体におけるリチウムイオン濃度の偏りの有無を検出する検出部とを備える。検出部は、正極または負極の電極面の中央における電流値と中央とは異なる電極面の部分における電流値との差が検出された場合に、リチウムイオン濃度が電極体において偏っていると判断する。【選択図】図１
2015053114.tif 000002
【特許請求の範囲】
【請求項１】
正極と負極とがセパレータを挟んで配置されてなる電極体と、少なくとも前記電極体の内部に含まれ、リチウム塩を含む非水電解液とを有するリチウムイオン二次電池と、
前記電極体におけるリチウムイオン濃度の偏りの有無を検出する検出部とを備え、
前記検出部は、前記正極または前記負極の電極面の中央における電流値と前記中央とは異なる前記電極面の部分における電流値との差が検出された場合に、リチウムイオン濃度が前記電極体において偏っていると判断する二次電池システム。
【発明の詳細な説明】
【技術分野】
【０００１】
本発明は、リチウムイオン二次電池と、リチウムイオン二次電池の電極体におけるリチウムイオン濃度の偏りの有無を検出する検出部とを備えた二次電池システムに関する。
【背景技術】
【０００２】
リチウムイオン二次電池に対してハイレート充電とハイレート放電とを繰り返し行うと、電極体においてリチウムイオン濃度に分布が生じることがある。たとえば、ハイレート放電時には、リチウムイオン濃度は、電極面の中央で薄くなり、電極面の周縁で濃くなる。ハイレート充電時には、リチウムイオン濃度は、電極面の中央で濃くなり、電極面の周縁で薄くなる。電極体においてリチウムイオン濃度に分布が生じると、リチウムイオン二次電池の内部抵抗の急激な上昇を招く。
【０００３】
特開２０１０−２１８８７７号公報（特許文献１）には、電極体におけるリチウムイオン濃度の偏りを抑制して電池の内部抵抗の上昇を抑制することが記載されている。特許文献１に記載の電池システムでは、電極体の一端部に配置された第１の測定電極と電極体の中央部に配置された第２の測定電極との間の電位差を測定し、その電位差に基づいて充電電流および放電電流を制御する。たとえば、上記電位差が、電極体の一端部に含まれるリチウムイオン濃度（第１濃度）と電極体の中央部に含まれるリチウムイオン濃度（第２濃度）との濃度差が閾値を上回っているときに得られる電位差値である場合において、第１濃度が第２濃度よりも高い場合は、放電電流の上限値を低減させる。
【先行技術文献】
【特許文献】
【０００４】
【特許文献１】特開２０１０−２１８８７７号公報
【発明の概要】
【発明が解決しようとする課題】
【０００５】
特許文献１に記載の方法において検出誤差（たとえばセンサ特性誤差または計測誤差）を考慮すると、電位差が小さいときには当該電位差が検出されないおそれがあることが分かった。つまり、特許文献１に記載の方法では、電極体におけるリチウムイオン濃度差が大きくなって初めてリチウムイオン濃度が電極体において偏っていることが検出される。本発明は、電極体におけるリチウムイオン濃度の偏りの有無の検出精度に優れた二次電池システムの提供を目的とする。
【課題を解決するための手段】
【０００６】
本発明の二次電池システムは、正極と負極とがセパレータを挟んで配置されてなる電極体と、少なくとも電極体の内部に含まれ、リチウム塩を含む非水電解液とを有するリチウムイオン二次電池と、電極体におけるリチウムイオン濃度の偏りの有無を検出する検出部とを備える。検出部は、正極または負極の電極面の中央における電流値と中央とは異なる電極面の部分における電流値との差が検出された場合に、リチウムイオン濃度が電極体において偏っていると判断する。
【０００７】
本発明者らが研究したところ、ハイレート放電時における放電電流の変化方向がリチウムイオン濃度が薄い領域とリチウムイオン濃度が濃い領域とで逆向きであることが分かった。ハイレート充電時においても同様のことが言えると考えられる。よって、本発明の二次電池システムでは、電極体におけるリチウムイオン濃度差が小さい場合であっても、リチウムイオン濃度が電極体において偏っていることを検出できる。
【０００８】
「正極と負極とがセパレータを挟んで配置されてなる電極体」には、正極と負極との間にセパレータが配置されてなる電極体だけでなく、正極と負極とがセパレータを介して捲回されてなる電極体も含まれる。
【０００９】
「正極の電極面」は、正極を構成する面のうち、正極活物質を含む正極合剤層が設けられた面を意味する。「負極の電極面」は、負極を構成する面のうち、負極活物質を含む負極合剤層が設けられた面を意味する。「電極面の中央とは異なる電極面の部分」の一例としては、電極面の周縁が挙げられる。
【発明の効果】
【００１０】
本発明の二次電池システムは、電極体におけるリチウムイオン濃度の偏りの有無の検出精度に優れる。
【図面の簡単な説明】
【００１１】
【図１】本発明の一実施形態の二次電池システムの斜視図である。
【図２】図１に示す二次電池システムの要部を示す分解斜視図である。
【図３】比較例の二次電池システムの要部を示す分解斜視図である。
【図４】ハイレート放電時におけるリチウムイオン濃度の位置依存性を説明する図である。
【図５】（ａ）は放電時間と電位Ｖとの関係を示すグラフであり、（ｂ）は図５（ａ）に示す結果から電位変化量ΔＶを求めたグラフであり、（ｃ）は放電時間と放電電流との関係を示すグラフであり、（ｄ）は図５（ｃ）に示す結果から電流変化量ΔＩを求めたグラフである。
【図６】ハイレート放電サイクル数と濃度差および内部抵抗比との関係を示すグラフである。
【図７】本発明の一変形例の二次電池システムの要部を示す斜視図である。
【図８】本発明の一変形例の二次電池システムの要部を示す斜視図である。
【図９】本発明の一変形例の二次電池システムの要部を示す斜視図である。
【図１０】本発明の一変形例の二次電池システムの要部を示す斜視図である。
【図１１】本発明の一変形例の二次電池システムの要部を示す斜視図である。
【図１２】本発明の一実施形態の二次電池システムの斜視図である。
【図１３】本発明の一実施形態の組電池の斜視図である。
【発明を実施するための形態】
【００１２】
以下、本発明の二次電池システムについて図面を用いて説明する。なお、本発明の図面において、同一の参照符号は、同一部分または相当部分を表すものである。また、長さ、幅、厚さ、深さなどの寸法関係は図面の明瞭化と簡略化のために適宜変更されており、実際の寸法関係を表すものではない。
【００１３】
＜第１の実施形態＞
図１は、第１の実施形態の二次電池システムの斜視図である。図２は、図１に示す二次電池システムの要部を示す分解斜視図である。本実施形態の二次電池システムは、リチウムイオン二次電池と検出部４５とを備える。
【００１４】
リチウムイオン二次電池は、ラミネート型リチウムイオン二次電池であり、電極体９と非水電解液とがラミネートフィルムからなる外装体１１の内部に封止されてなる。非水電解液は、少なくとも電極体９の内部に含まれ、リチウム塩を含む。
【００１５】
電極体９は、正極３と負極７との間にセパレータ５が配置されてなる。セパレータ５に対向する正極３の面では、正極３の長手方向一端において正極集電箔３Ａが正極合剤層３Ｂから露出しており、セパレータ５に対向する負極７の面では、負極７の長手方向一端において負極集電箔７Ａが負極合剤層７Ｂから露出している。正極集電箔３Ａの露出部分には正極端子１３が接続され、負極集電箔７Ａの露出部分には負極端子１７が接続され、正極端子１３と負極端子１７とは外装体１１の外へ向かって互いに逆向きに延びている。なお、本実施形態および後述の第１〜第５の変形例では、「正極３の長手方向他端」は正極端子１３が接続されていない正極３の長手方向端部を意味する。負極７においても同様である。
【００１６】
検出部４５は、電極体９におけるリチウムイオン濃度の偏りの有無を検出する。具体的には、検出部４５は、正極３の電極面の中央における電流値と正極３の電極面の中央とは異なる正極３の電極面の部分における電流値との差が検出された場合には、リチウムイオン濃度が電極体９において偏っていると判断する。これにより、電極体９におけるリチウムイオン濃度差が小さい場合であっても、リチウムイオン濃度が電極体９において偏っていることが検出される（後述）。よって、本実施形態の二次電池システムは、電極体９におけるリチウムイオン濃度の偏りの有無の検出精度に優れる。それだけでなく、電極体９におけるリチウムイオン濃度の偏りを緩和させるための充放電制御を早い段階で実施できるので、内部抵抗の上昇を招くことなくリチウムイオン二次電池を使用でき、したがって、二次電池の耐久性および安全性を高めることができる。以上より、本実施形態の二次電池システムは、ハイブリッド自動車もしくは電気自動車などの自動車用電源、工場用電源または家庭用電源などに使用される大型電池などにおいて好適である。
【００１７】
具体的には、本実施形態の二次電池システムは、第１測定用電極２１と、第２測定用電極２３と、第１導電性部材３１と、第２導電性部材３３と、第１電流センサ４１と、第２電流センサ４３と、第１配線５１と、第２配線５３とをさらに備えている。図２では第１測定用電極２１と第２測定用電極２３とを実線で示しているが、第１測定用電極２１と第２測定用電極２３とは正極３の裏面（正極合剤層３Ｂが設けられた面とは反対側の面）上に設けられている。図４、図７〜図１０においても同様である。
【００１８】
第１測定用電極２１は、正極３の電極面の中央における電流値を測定するために設けられた電極であり、正極３の裏面の中央に設けられ、その周囲とは絶縁されている。第１導電性部材３１は、正極３の裏面上で第１測定用電極２１に接続されており、たとえば短冊状の正極集電箔である。第１電流センサ４１は、第１配線５１により第１導電性部材３１および正極端子１３のそれぞれに接続されており、正極３の電極面の中央における電流値を測定する。
【００１９】
第２測定用電極２３は、正極３の電極面の周縁における電流値を測定するために設けられた電極であり、正極３の裏面の周縁のうち正極３の長手方向他端側に設けられ、その周囲とは絶縁されている。第２導電性部材３３は、正極３の裏面上で第２測定用電極２３に接続されており、たとえば短冊状の正極集電箔である。第２電流センサ４３は、第２配線５３により第２導電性部材３３および正極端子１３のそれぞれに接続されており、正極３の電極面の周縁における電流値を測定する。
【００２０】
電池反応により電流が発生すると、正極３のうち第１測定用電極２１に接する部分を流れる電流は、第１測定用電極２１から第１導電性部材３１内および第１配線５１内を通って第１電流センサ４１に入力され、第１電流センサ４１でその大きさが測定されてから、正極端子１３へ戻る。また、正極３のうち第２測定用電極２３に接する部分を流れる電流は、第２測定用電極２３から第２導電性部材３３内および第２配線５３内を通って第２電流センサ４３に入力され、第２電流センサ４３でその大きさが測定されてから、正極端子１３へ戻る。
【００２１】
第１電流センサ４１で測定された電流値と第２電流センサ４３で測定された電流値とは検出部４５に入力される。このとき、第１測定用電極２１が正極３と接する部分の面積（第１測定用電極２１の電極面積）は、第２測定用電極２３が正極３と接する部分の面積（第２測定用電極２３の電極面積）と同じである。そのため、検出部４５は、第１電流センサ４１で測定された電流値と第２電流センサ４３で測定された電流値とに差が存在するか否かを判断し、その差が存在すると判断したときにはリチウムイオン濃度が電極体９において偏っていると判断する。
【００２２】
上記効果を確認するために、本発明者らは、電位差に基づいて電極体におけるリチウムイオン濃度の偏りを検出する二次電池システム（比較例の二次電池システム）と電流差に基づいて電極体におけるリチウムイオン濃度の偏りを検出する二次電池システム（実施例の二次電池システム）とを用いて、電極体におけるリチウムイオン濃度の偏りの有無を検出する精度を調べた。
【００２３】
図３は、比較例の二次電池システムの要部を示す分解斜視図である。比較例の二次電池システムでは、第１測定用電極９２１は、電極体９の長手方向中央における電位を測定するために設けられ、第１測定用電極９２１には、第１配線９５１によって第１電位計９４１が接続されていた。第１電位計９４１により、電極体９の長手方向中央における電位が測定された。第２測定用電極９２３は、電極体９の長手方向端部における電位を測定するために設けられ、第２測定用電極９２３には、第２配線９５３によって第２電位計９４３が接続されていた。第２電位計９４３により、電極体９の長手方向端部における電位が測定された。
【００２４】
図４は、ハイレート放電時におけるリチウムイオン濃度の位置依存性を説明する図である。図５（ａ）は、放電時間と電位Ｖとの関係を示すグラフであり、図５（ｂ）は、図５（ａ）に示す結果から電位変化量ΔＶを求めたグラフである。図５（ｃ）は、放電時間と放電電流との関係を示すグラフであり、図５（ｄ）は、図５（ｃ）に示す結果から電流変化量ΔＩを求めたグラフである。
【００２５】
ハイレート放電を行うと、正極３の電極面の中央の方が、正極３の電極面の周縁よりも、リチウムイオン濃度が薄くなる（図４）。ハイレート放電時に電位をモニターすると、リチウムイオン濃度が薄い領域においてもリチウムイオン濃度が濃い領域においてもハイレート放電が進むにつれて電位が降下した（図５（ａ））。その変化量は、リチウムイオン濃度が濃い領域よりもリチウムイオン濃度が薄い領域の方が大きかった（ΔＶ薄＞ΔＶ濃）。しかし、検出誤差が２０％程度であると仮定すると、電位の大小関係が誤検出されるおそれがあることが分かった（図５（ｂ））。そのため、比較例の二次電池システムでは、電位差が小さいときには当該電位差が検出されないおそれがある。つまり、電極体におけるリチウムイオン濃度差が小さい場合には、リチウムイオン濃度が電極体において偏っていることが検出されないおそれがある。
【００２６】
一方、ハイレート放電時に電流をモニターすると、リチウムイオン濃度が薄い領域ではハイレート放電が進むにつれて放電電流が減少したが、リチウムイオン濃度が濃い領域ではハイレート放電が進むにつれて放電電流が増加した（図５（ｃ））。そのため、検出誤差が２０％程度であっても、電流の大小関係が誤検出されることを防止できる（図５（ｄ））。よって、検出誤差の影響を受けることなく電流差を検出することができる。したがって、実施例の二次電池システムでは、電流差が小さい場合であっても当該電流差を検出できるので、電極体９におけるリチウムイオン濃度差が小さい場合であってもリチウムイオン濃度が電極体９において偏っていることを検出できる。
【００２７】
図６の上側には、ハイレート放電サイクル数と濃度差との関係を示すグラフを示し、図６の下側には、ハイレート放電サイクル数と内部抵抗比との関係を示すグラフを示す。「濃度」は、リチウムイオン濃度を意味し、イオンクロマトグラフィーにより測定された。３０ＣＡの電流（電池容量の３０倍の電流）で１０秒間充放電を行なった後の電圧変化分（ΔＶ）を求め、求められたΔＶを電流で除して「内部抵抗」とした。図６では、１サイクル目の内部抵抗を１００％としている。
【００２８】
検出誤差が２０％程度であると仮定すると、比較例の二次電池システムで検出可能なリチウムイオン濃度差の下限（図６における「電位差で検出可能なポイント」）は１．１Ｍと試算される。そのため、リチウムイオン二次電池の内部抵抗が３０％程度上昇して初めてリチウムイオン濃度が電極体において偏っていることが検出される。これにより、電極体におけるリチウムイオン濃度の偏りを緩和させるための充放電制御の実施が遅れるので、電池性能が低下した状態で当該電池が使用され続けることとなる。一般に、リチウムイオン二次電池の内部抵抗が１０％上昇した状態で当該電池を使用し続けると、回生電流は２５Ａ減少し、１％程度の燃費悪化を招くと言われている。
【００２９】
一方、実施例の二次電池システムで検出可能なリチウムイオン濃度差の下限（図６における「電流差で検出可能なポイント」）は０．１Ｍと試算される。そのため、検出部４５は、リチウムイオン二次電池の内部抵抗が著しく上昇する前に、リチウムイオン濃度が電極体９において偏っていることを検出する。これにより、電極体９におけるリチウムイオン濃度の偏りを緩和させるための充放電制御を早い段階で実施できる。よって、電池性能の低下を伴うことなく当該電池を使用し続けることができる。
【００３０】
なお、検出部４５は、第１電流センサから入力された電流値の変化量と第２電流センサから入力された電流値の変化量との差を検出した場合に、リチウムイオン濃度が電極体９において偏っていると判断しても良い。また、電流値の差または電流値の変化量の差が検出部４５とは異なる検出部において検出され、その検出結果が検出部４５に入力されても良い。これらの場合であっても、上述の効果を得ることができる。これらのことは、後述の第１〜第５の変形例、第２の実施形態および第３の実施形態においても言える。
【００３１】
検出部４５には、第１電流センサ４１および第２電流センサ４３の少なくとも一方が内蔵されていても良い。この場合であっても、上述の効果を得ることができる。このことは、後述の第１〜第５の変形例、第２の実施形態および第３の実施形態においても言える。
【００３２】
＜変形例＞
第１測定用電極２１の位置および第２測定用電極２３の位置は図２に示す位置に限定されない。以下では、上記第１の実施形態とは異なる点を主に示す。
【００３３】
＜第１の変形例＞
図７は、第１の変形例の二次電池システムの要部を示す斜視図である。本変形例の第２測定用電極２３は、正極３の電極面の周縁における電流値を測定するために設けられた電極であり、正極３の裏面の周縁のうち正極３の長手方向他端側の角部に設けられている。本変形例においても、上記第１の実施形態に記載の効果を得ることができる。
【００３４】
＜第２の変形例＞
図８は、第２の変形例の二次電池システムの要部を示す斜視図である。本変形例の第２測定用電極２３は、正極３の電極面の中央に隣接する部分における電流値を測定するために設けられた電極であり、第１測定用電極２１よりも正極３の長手方向他端側であって第１測定用電極２１と隣り合うように設けられている。
【００３５】
放電時間または充電時間が同一である場合、正極３の電極面の中央と正極３の電極面の中央に隣接する部分とのリチウムイオン濃度差は正極３の電極面の中央と正極３の電極面の周縁とのリチウムイオン濃度差よりも小さいと考えられる。しかし、検出部４５は、電極体９におけるリチウムイオン濃度差が小さい場合であっても、リチウムイオン濃度が電極体９において偏っていることを検出する。よって、本変形例においても、上記第１の実施形態に記載の効果を得ることができる。
【００３６】
＜第３の変形例＞
図９は、第３の変形例の二次電池システムの要部を示す斜視図である。本変形例の二次電池システムは、２つの第２測定用電極２３を備えている。第２測定用電極２３は、どちらも、正極３の電極面の周縁における電流値を測定するために設けられた電極である。一方の第２測定用電極２３Ａは、図１に示す第２測定用電極２３と同じ位置に設けられており、他方の第２測定用電極２３Ｂは、第１測定用電極２１を挟んで一方の第２測定用電極２３Ａとは反対側に設けられている。
【００３７】
電池反応により電流が発生すると、正極３のうち一方の第２測定用電極２３Ａに接する部分を流れる電流は、一方の第２測定用電極２３Ａから一方の第２導電性部材（不図示）内および一方の第２配線５３Ａ内を通って一方の第２電流センサ４３Ａに入力され、一方の第２電流センサ４３Ａでその大きさが測定されてから、正極端子１３へ戻る。また、正極３のうち他方の第２測定用電極２３Ｂに接する部分を流れる電流は、他方の第２測定用電極２３Ｂから他方の第２導電性部材（不図示）内および他方の第２配線５３Ｂ内を通って他方の第２電流センサ４３Ｂに入力され、他方の第２電流センサ４３Ｂでその大きさが測定されてから、正極端子１３へ戻る。
【００３８】
本変形例の検出部４５は、一方の第２電流センサ４３Ａで測定された電流値と第１電流センサ４１で測定された電流値との差、および、他方の第２電流センサ４３Ｂで測定された電流値と第１電流センサ４１で測定された電流値との差の少なくとも一方を検出した場合に、リチウムイオン濃度が電極体において偏っていると判断しても良い。または、本変形例の検出部４５は、一方の第２電流センサ４３Ａで測定された電流値と他方の第２電流センサ４３Ｂで測定された電流値との平均値と第１電流センサ４１で測定された電流値との差を検出した場合に、リチウムイオン濃度が電極体において偏っていると判断しても良い。このように、本変形例においては、正極３の電極面の周縁における電流値を正極３の裏面上の２箇所において測定するので、電極体におけるリチウムイオン濃度の偏りを検出する精度が上記第１の実施形態よりも高くなる。
【００３９】
＜第４の変形例＞
図１０は、第４の変形例の二次電池システムの要部を示す斜視図である。本変形例の第２測定用電極２３は、正極３の電極面の周縁における電流値を測定するために設けられた電極であり、正極３の裏面の周縁において正極３の周方向に沿って設けられている。
【００４０】
第１電流センサ４１で測定された電流値と第２電流センサ４３で測定された電流値とは検出部４５に入力される。このとき、第１測定用電極２１の電極面積と第２測定用電極２３の電極面積とは異なる。そのため、本変形例の検出部４５は、第２電流センサ４３で測定された電流値を第１電流センサ４１の電極面積に換算した電流値（第２電流センサ４３で測定された電流値÷第２測定用電極２３の電極面積×第１測定用電極２１の電極面積）と第１電流センサ４１で測定された電流値との差を検出した場合に、リチウムイオン濃度が電極体において偏っていると判断する。よって、本変形例においても、上記第１の実施形態に記載の効果を得ることができる。
【００４１】
＜第５の変形例＞
図１１は、第５の変形例の二次電池システムの要部を示す斜視図である。図１１では第１測定用電極２１と第２測定用電極２３とを実線で示しているが、第１測定用電極２１と第２測定用電極２３とは負極７の裏面（負極合剤層７Ｂが設けられた面とは反対側の面）上に設けられている。
【００４２】
本変形例の第１測定用電極２１は、負極７の電極面の中央における電流値を測定するために設けられた電極であり、負極７の裏面の中央に設けられ、その周囲とは絶縁されている。第２測定用電極２３は、負極７の電極面の周縁における電流値を測定するために設けられた電極であり、負極７の裏面の周縁のうち負極７の長手方向他端側に設けられ、その周囲とは絶縁されている。本変形例においても、上記第１の実施形態に記載の効果を得ることができる。
【００４３】
本変形例では、第２測定用電極２３は、上記第１〜第４の変形例で示された位置に設けられていても良い。本変形例では、第１導電性部材３１および第２導電性部材３３のそれぞれの一例として、短冊状の負極集電箔が挙げられる。
【００４４】
＜第２の実施形態＞
図１２は、第２の実施形態の二次電池システムの斜視図である。なお、図１２では、金属ケース本体７１の一部を透視して電極体８９、第１測定用電極２１、第２測定用電極２３、第１導電性部材３１、第２導電性部材３３および余剰電解液ＥＬを図示している。本実施形態の二次電池システムは、角型リチウムイオン二次電池と検出部４５とを備える。以下では、上記第１の実施形態とは異なる点を主に示す。
【００４５】
リチウムイオン二次電池は、電極体８９が非水電解液とともに金属ケース本体７１の内部に配置されたものである。金属ケース本体７１の開口は、蓋体７３で蓋されており、金属ケース本体７１の底部には、余剰電解液ＥＬが貯留されている。電極体８９は、正極と負極とがセパレータを介して捲回されて扁平状に形成されたものである。
【００４６】
第１測定用電極２１は、正極の電極面の中央における電流値を測定するために設けられた電極であり、正極のうち電極体８９の最外周の半周部分を構成する部分８９Ａを平面で近似したときの当該平面の中央に設けられており、その周囲とは絶縁されている。第１導電性部材３１は、電極体８９の最外周の半周部分上で第１測定用電極２１に接続されている。
【００４７】
第２測定用電極２３は、正極の電極面の周縁における電流値を測定するために設けられた電極であり、正極のうち電極体８９の最外周の半周部分を構成する部分８９Ａを平面で近似したときの当該平面の周縁に設けられており、その周囲とは絶縁されている。第２導電性部材３３は、電極体８９の最外周の半周部分上で第２測定用電極２３に接続されている。
【００４８】
電極体８９では、正極と負極とがセパレータを介して捲回されている。そのため、電極体８９の内周部に第１測定用電極２１と第２測定用電極２３とを設けることは難しい。よって、図１２に示すように、電極体８９の最外周の半周部分上に第１測定用電極２１と第２測定用電極２３とを設けることが好ましい。
【００４９】
検出部４５は、上記第１の実施形態における検出部４５と同様に構成されている。これにより、本実施形態においても、上記第１の実施形態に記載の効果が得られる。
【００５０】
なお、本実施形態では、第１電流センサ４１、第２電流センサ４３および検出部４５の位置は図１２に示す位置に限定されない。
【００５１】
＜第３の実施形態＞
図１３は、第３の実施形態の組電池の斜視図である。本実施形態の組電池は、複数のリチウムイオン二次電池３００と、２枚のエンドプレート３０１と、拘束バンド３０３とを備える。リチウムイオン二次電池３００は互いに平行に配置され、エンドプレート３０１はリチウムイオン二次電池３００の配列方向両端に配置され、拘束バンド３０３はエンドプレート３０１同士を拘束する。
【００５２】
複数のリチウムイオン二次電池３００のうちの少なくとも１つが、上記第１の実施形態、上記第１〜第５の変形例または上記第２の実施形態の二次電池システムを構成していることが好ましい。これにより、上記第１の実施形態に記載の効果が得られるので、耐久性および安全性に優れた組電池を提供できる。また、電極体におけるリチウムイオン濃度の偏りを精度良く検出可能なシステムを搭載したことによるコスト上昇を最小限に抑えることができる。
【００５３】
上記第１〜第３の実施形態および上記第１〜第５の変形例において、正極、負極、セパレータおよび非水電解液は、それぞれ、次に示す構成を有することが好ましい。
【００５４】
正極は、リチウムイオン二次電池の正極の一般的な構成を有することが好ましい。たとえば、正極は、アルミニウム箔とアルミニウム箔上に設けられた正極合剤層とを含むことが好ましく、正極合剤層は、正極活物質（たとえばコバルト酸リチウム）と導電剤（カーボン粉末）とポリフッ化ビニリデン（結着剤）とを含むことが好ましい。正極に接続される正極端子はアルミニウムからなることが好ましい。
【００５５】
負極は、リチウムイオン二次電池の負極の一般的な構成を有することが好ましい。たとえば、負極は、銅箔と銅箔上に設けられた負極合剤層とを含むことが好ましく、負極合剤層は、負極活物質（たとえば天然黒鉛）と結着剤（ポリフッ化ビニリデン）とを含むことが好ましい。負極に接続される負極端子は銅からなることが好ましい。
【００５６】
セパレータは、リチウムイオン二次電池のセパレータの一般的な構成を有することが好ましい。たとえば、セパレータは、多孔質ポリオレフィン系樹脂（たとえばポリプロピレン）からなることが好ましい。
【００５７】
非水電解液は、リチウムイオン二次電池の非水電解液の一般的な構成を有することが好ましい。たとえば、非水電解液は、エチレンカーボネートとジエチルカーボネートとの混合溶媒（たとえば、体積比１：１程度の混合溶媒）にＬｉＰＦ６が約１ｍｏｌ／リットルの濃度で含有された溶液であることが好ましい。
【００５８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５９】
３  正極、３Ａ  正極集電箔、３Ｂ  正極合剤層、５  セパレータ、７  負極、７Ａ  負極集電箔、７Ｂ  負極合剤層、９，８９  電極体、１１  外装体、１３  正極端子、１７  負極端子、２１，９２１  第１測定用電極、２３，２３Ａ，２３Ｂ，９２３  第２測定用電極、２３Ａ  一方の第２測定用電極、２３Ｂ  他方の第２測定用電極、３１  第１導電性部材、３３  第２導電性部材、４１  第１電流センサ、４３  第２電流センサ、４３Ａ  一方の第２測定用電極、４３Ｂ  他方の第２測定用電極、４５  検出部、５１，９５１  第１配線、５３，９５３  第２配線、５３Ａ  一方の第２配線、５３Ｂ  他方の第２配線、７１  金属ケース本体、７３  蓋体、３００  リチウムイオン二次電池、３０１  エンドプレート、３０３  拘束バンド。
【図１】
2015053114.tif 000003
【図２】
2015053114.tif 000004
【図３】
2015053114.tif 000005
【図４】
2015053114.tif 000006
【図５】
2015053114.tif 000007
【図６】
2015053114.tif 000008
【図７】
2015053114.tif 000009
【図８】
2015053114.tif 000010
【図９】
2015053114.tif 000011
【図１０】
2015053114.tif 000012
【図１１】
2015053114.tif 000013
【図１２】
2015053114.tif 000014
【図１３】
2015053114.tif 000015